(57)【要約】  【課題】  低コスト化を図ることができるとともに、フレキシブル性が高くケーブル配線の作業性が向上するケーブル保護チューブを提供する。  【解決手段】  ケーブル保護チューブ１は、保護対象のケーブル２が内部に挿通される熱収縮チューブ９と、ケーブル２が内部に挿通されるとともにケーブル２の屈曲箇所に配置されフレキシブル性を有する屈曲チューブ１０とを備える。熱収縮チューブ９の端部と屈曲チューブ１０の端部を重複させ、熱収縮チューブ９の端部を熱収縮させて屈曲チューブ１０の端部を締め付けて、熱収縮９チューブと屈曲チューブ１０を連結する。【選択図】  図１
2007317427.tif 000002
【特許請求の範囲】
【請求項１】
保護対象のケーブルが内部に挿通される熱収縮チューブと、
前記ケーブルが内部に挿通されるとともに前記ケーブルの屈曲箇所に配置され、フレキシブル性を有する屈曲チューブとを備え、
前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結したことを特徴とするケーブル保護チューブ。
【請求項２】
前記屈曲チューブは、両端に筒状連結部を備え、中央に蛇腹状屈曲部を備えたことを特徴とする請求項１に記載のケーブル保護チューブ。
【請求項３】
前記筒状連結部の外径は、熱収縮前の前記熱収縮チューブの端部の内径より小さく、前記蛇腹状屈曲部の外径は、熱収縮前の前記熱収縮チューブの端部の内径より大きいことを特徴とする請求項２に記載のケーブル保護チューブ。
【請求項４】
二つのユニットを接続する保護対象のケーブルと、
前記ケーブルが内部に挿通される熱収縮チューブと、
前記ケーブルが内部に挿通されるとともに前記ケーブルの屈曲箇所に配置され、フレキシブル性を有する屈曲チューブとを備え、
前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結したことを特徴とする保護チューブ付きケーブル装置。
【請求項５】
ベースと、
前記ベースに対して旋回可能に備えられたカメラと、
前記ベースと前記カメラを接続する保護対象のケーブルと、
前記ケーブルが内部に挿通される熱収縮チューブと、
前記ケーブルが内部に挿通されるとともに前記ケーブルの屈曲箇所に配置され、フレキシブル性を有する屈曲チューブとを備え、
前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結したことを特徴とするカメラ装置。
【発明の詳細な説明】
【技術分野】
【０００１】
本発明は、フレキシブル性を向上したケーブル保護チューブに関するものである。
【背景技術】
【０００２】
従来、ケーブル（通信ケーブルや電源ケーブルなど）を保護するための保護チューブとして、熱収縮チューブが用いられている。熱収縮チューブは、例えばポリオレフィン樹脂などの熱収縮性樹脂を材料とした円筒状のチューブである（例えば、特許文献１参照）。
【０００３】
従来の保護チューブでは、熱収縮チューブの内部にケーブルを挿通した状態で、熱風等を吹きつけて熱収縮チューブを熱収縮させ、ケーブルを保護チューブで被覆する。このようにして、保護対象のケーブルが保護チューブによって覆われて保護される。
【特許文献１】特開平８−２６４０２４号公報（第２−３頁、第１図）
【発明の開示】
【発明が解決しようとする課題】
【０００４】
しかしながら、従来の保護チューブにおいては、熱収縮後の保護チューブが硬くなり、保護チューブのフレキシブル性が低いという問題があった。例えば、ケーブルの配線経路が所定箇所で屈曲している場合には、保護チューブで被覆されたケーブルを配線経路に沿って屈曲させることが容易でなく、ケーブル配線の作業性が低いという問題があった。
【０００５】
すなわち、厚みの薄い熱収縮チューブを用いれば、フレキシブル性は向上するものの、保護チューブが破れやすくなりケーブルを十分に保護できなくなるという問題がある。一方、厚い熱収縮チューブを用いれば、ケーブルを十分に保護することはできるものの、フレキシブル性が低下して作業性が低くなるという問題がある。
【０００６】
また、屈曲した配線経路にケーブルを配線した場合、保護チューブのフレキシブル性が低いので、配線経路中の屈曲箇所（例えば角部など）に保護チューブが接触してしまう。保護チューブが配線経路中の角部に接触していると、角部との接触箇所で保護チューブが磨耗してしまうという問題があった。特に、ケーブルの一端が可動部品に接続されており、可動部品の動きに伴ってケーブルが動く場合には、配線経路中の角部との接触箇所で保護チューブが磨耗してケーブルが損傷するおそれがあるという問題があった。
【０００７】
そこで、例えばシリコン樹脂などを材料とした保護チューブを用いることも考えられる。シリコン樹脂製の保護チューブは、十分なフレキシブル性と耐摩耗性を有しているものの、材料（シリコン樹脂）が高価であり、製造コストが高くなるという問題があった。
【０００８】
本発明は、上記従来の問題を解決するためになされたもので、比較的コストの低い熱収縮性チューブを利用し、かつ、フレキシブル性の高いケーブル保護チューブを提供することを目的とする。
【課題を解決するための手段】
【０００９】
本発明のケーブル保護チューブは、保護対象のケーブルが内部に挿通される熱収縮チューブと、前記ケーブルが内部に挿通されるとともに前記ケーブルの屈曲箇所に配置され、フレキシブル性を有する屈曲チューブと、を備え、前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結した構成を有している。
【００１０】
この構成により、ケーブルの屈曲箇所に配置された屈曲チューブの部分において、ケーブル保護チューブのフレキシブル性が向上する。したがって、ケーブルの配線経路が所定箇所で屈曲している場合に、フレキシブル性を有する屈曲チューブを配線経路に沿って容易に屈曲することができる。これにより、ケーブル配線の作業性が向上する。また、ケーブル保護チューブのフレキシブル性が高いので、屈曲した配線経路にケーブルを配線した場合であっても、ケーブル保護チューブが配線経路中の角部に接触して磨耗するのを抑制することができる。また、熱収縮チューブや屈曲チューブは、シリコン樹脂製の保護チューブに比べて安価であり、低コスト化を図ることができる。
【００１１】
また、本発明のケーブル保護チューブでは、前記屈曲チューブは、両端に筒状連結部を備え、中央に蛇腹状屈曲部を備えた構成を有している。
【００１２】
この構成により、屈曲チューブの中央の蛇腹状屈曲部の部分において、屈曲チューブを容易に屈曲することができる。また、屈曲チューブの両端の筒状連結部には、熱収縮チューブを容易に連結することができる。これにより、ケーブル配線の作業性が向上する。
【００１３】
また、本発明のケーブル保護チューブでは、前記筒状連結部の外径は、熱収縮前の前記熱収縮チューブの端部の内径より小さく、前記蛇腹状屈曲部の外径は、熱収縮前の前記熱収縮チューブの端部の内径より大きい構成を有している。
【００１４】
この構成により、熱収縮チューブの端部と屈曲チューブの端部を重複させるときに、屈曲チューブの筒状連結部を熱収縮チューブの端部に容易に挿入することができる。また、屈曲チューブの筒状連結部を熱収縮チューブの端部に挿入したときに、屈曲チューブの蛇腹状屈曲部が熱収縮チューブの端部に当接し、屈曲チューブが熱収縮チューブの内部に過度に入り込むのを防止することができる。これにより、熱収縮チューブと屈曲チューブを容易に連結することができ、ケーブル配線の作業性が向上する。
【００１５】
本発明のケーブル装置は、二つのユニットを接続する保護対象のケーブルと、前記ケーブルが内部に挿通される熱収縮チューブと、前記ケーブルが内部に挿通されるとともに前記ケーブルの屈曲箇所に配置され、フレキシブル性を有する屈曲チューブと、を備え、前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結した構成を有している。
【００１６】
この構成によっても、上記のように、ケーブルの屈曲箇所に配置された屈曲チューブの部分において、ケーブル保護チューブのフレキシブル性が向上する。したがって、ケーブルの配線経路が所定箇所で屈曲している場合であっても、ケーブル配線の作業性が高く、ケーブル保護チューブが配線経路中の角部に接触して磨耗するのを抑制することができる。また、上記のように、ケーブル装置の低コスト化を図ることができる。
【００１７】
本発明のカメラ装置は、ベースと、前記ベースに対して旋回可能に備えられたカメラと、前記ベースと前記カメラを接続する保護対象のケーブルと、前記ケーブルが内部に挿通される熱収縮チューブと、前記ケーブルが内部に挿通されるとともに前記ケーブルの屈曲箇所に配置され、フレキシブル性を有する屈曲チューブと、を備え、前記熱収縮チューブの端部と前記屈曲チューブの端部が重複し、前記熱収縮チューブの端部が熱収縮により前記屈曲チューブの端部を締め付けて、前記熱収縮チューブと前記屈曲チューブが連結した構成を有している。
【００１８】
この構成によっても、上記のように、ケーブルの屈曲箇所に配置された屈曲チューブの部分において、ケーブル保護チューブのフレキシブル性が向上する。したがって、ケーブルの配線経路が所定箇所で屈曲している場合であっても、ケーブル配線の作業性が高い。また、カメラがベースに対して旋回したときにカメラの動きに伴ってケーブルが動く場合であっても、ケーブル保護チューブが配線経路中の角部に接触して磨耗するのを抑制することができる。また、上記のように、カメラ装置の低コスト化を図ることができる。
【発明の効果】
【００１９】
本発明は、ケーブルの屈曲箇所にフレキシブル性を有する屈曲チューブを設け、熱収縮チューブと屈曲チューブを連結してケーブル保護チューブを構成することにより、比較的コストの低い熱収縮性チューブを利用して低コスト化を図ることができるとともに、フレキシブル性が高くケーブル配線の作業性が向上するという効果を有するケーブル保護チューブを提供することができるものである。
【発明を実施するための最良の形態】
【００２０】
以下、本発明の実施の形態のケーブル保護チューブを用いたカメラ装置について、図面を用いて説明する。本実施の形態では、例えば、施設内を監視するための旋回カメラ装置等の配線にケーブル保護チューブを用いた場合を例示する。
【００２１】
図１は、本実施の形態のケーブル保護チューブ１を用いたケーブル配線の一例を示した概略図である。ケーブル保護チューブ１は、例えば、図１に示すような屈曲箇所を有する配線経路に沿ってケーブル２（通信ケーブルや電源ケーブルなど）を配線する場合に用いられる。具体的には、ケーブル保護チューブ１は、図２に示すような施設内を監視するための旋回カメラ装置３の装置内部のケーブル配線に用いられる。
【００２２】
図２は、本実施の形態のケーブル保護チューブ１を用いた旋回カメラ装置３の概略構成を示す説明図である。図２に示すように、旋回カメラ装置３は、ベース４と、ベース４上に取り付けられる半球状のドームカバー５を備えている。ドームカバー５の内部中央には、パンチルト旋回機構（図示せず）を備えたカメラ６が配置されている。カメラ６は、パンチルト旋回機構により、ベース４に対してパン方向およびチルト方向に旋回可能である。
【００２３】
ベース４の内部には、カメラ６の動作を制御する制御ユニット７が備えられている。そして、カメラ６と制御ユニット７はケーブル２で接続されている。本実施の形態では、ベース４の上部に、ケーブル２を通すための通線孔８が設けられている。ここでは、カメラ６と制御ユニット７が、本発明の二つのユニットに相当する。
【００２４】
図３は、カメラ６のケーブル２を保護するためのケーブル保護チューブ１の分解斜視図である。図３に示すように、ケーブル保護チューブ１は、熱収縮チューブ９と屈曲チューブ１０で構成されている。熱収縮チューブ９は、例えばポリオレフィン樹脂などの熱収縮性の樹脂を材料としている。屈曲チューブ１０は、例えばポリプロピレンなどの合成樹脂製である。
【００２５】
また、図３に示すように、熱収縮前の熱収縮チューブ９は円筒状である。一方、屈曲チューブ１０の両端には、円筒状の筒状連結部１１が設けられており、屈曲チューブ１０の中央には、山部と谷部を有する蛇腹状屈曲部１２が設けられている。屈曲チューブ１０は、蛇腹状屈曲部１２の部分で容易に屈曲するように構成されており、蛇腹状屈曲部１２の部分においてフレキシブル性を有している。
【００２６】
屈曲チューブ１０の筒状連結部１１の外径Ｄ１は、熱収縮前の熱収縮チューブ９の端部の内径ｄより小さく（Ｄ１＜ｄ）設定されている。また、屈曲チューブ１０の蛇腹状屈曲部１２の外径Ｄ２は、熱収縮前の熱収縮チューブ９の端部の内径ｄより大きく（Ｄ２＞ｄ）設定されている。ここで、蛇腹状屈曲部１２の外径Ｄ２とは、蛇腹状屈曲部１２の山部の外径をいう（図３参照）。
【００２７】
以上のように構成されたケーブル保護チューブ１を用いて旋回カメラ装置３のケーブル配線を行うときの動作について、図面を用いて説明する。
【００２８】
本発明の実施の形態のケーブル保護チューブ１を用いて旋回カメラ装置３のケーブル配線を行うときには、まず、ケーブル２の配線経路の屈曲箇所の数に応じて屈曲チューブ１０を用意するとともに、ケーブル２の配線経路に応じて熱収縮チューブ９を切断する。ここでは、熱収縮チューブ９を屈曲箇所までの所定の長さに切断する。なお、熱収縮チューブ９は熱収縮後に長さ方向にも僅かに熱収縮するので、この長さ方向の熱収縮を考慮して熱収縮チューブ９の所定の長さを決定する。
【００２９】
つぎに、図４に示すように、熱収縮チューブ９と屈曲チューブ１０の内部にケーブル２を挿通して、熱収縮チューブ９の端部と屈曲チューブ１０の端部を重複させる。本実施の形態では、熱収縮チューブ９の端部に屈曲チューブ１０の筒状連結部１１を挿入する。このとき、筒状連結部１１の外径Ｄ１が熱収縮チューブ９の端部の内径ｄより小さいので、屈曲チューブ１０の筒状連結部１１を熱収縮チューブ９の端部に円滑に挿入することができる。また、蛇腹状屈曲部１２の外径Ｄ２が熱収縮チューブ９の端部の内径ｄより大きいので、屈曲チューブ１０の蛇腹状屈曲部１２に熱収縮チューブ９の端部が突き当たり、屈曲チューブ１０が熱収縮チューブ９の内部に過度に入り込んでしまうのが防止される。
【００３０】
そして、図５に示すように、熱収縮チューブ９に熱風を吹きつけて熱収縮チューブ９を熱収縮させる。熱収縮チューブ９が熱収縮すると、熱収縮チューブ９でケーブル２が被覆される。それと同時に、熱収縮チューブ９の端部が屈曲チューブ１０の筒状連結部１１を締め付けて、熱収縮チューブ９と屈曲チューブ１０が連結する。このようにして、ケーブル保護チューブ１でケーブル２が保護される。
【００３１】
最後に、図１または図２に示すように、ケーブル保護チューブ１で保護したケーブル２を、旋回カメラ装置３の内部の配線経路に沿って配線する。このとき、配線経路の屈曲箇所には、屈曲チューブ１０が配置されているので、ケーブル保護チューブ１で保護したケーブル２を配線経路に沿って容易に屈曲することができる。
【００３２】
このような発明の実施の形態の旋回カメラ装置３のケーブル保護チューブ１によれば、ケーブル２の屈曲箇所にフレキシブル性を有する屈曲チューブ１０を設け、熱収縮チューブ９と屈曲チューブ１０を連結してケーブル保護チューブ１を構成することにより、比較的コストの低い熱収縮性チューブを利用して低コスト化を図ることができるとともに、フレキシブル性が高くケーブル配線の作業性が向上する。
【００３３】
すなわち、本実施の形態では、ケーブル２の屈曲箇所に配置された屈曲チューブ１０の部分で、ケーブル保護チューブ１のフレキシブル性が向上する。したがって、ケーブル２の配線経路が所定箇所で屈曲している場合に、フレキシブル性を有する屈曲チューブ１０を配線経路に沿って容易に屈曲することができる。これにより、ケーブル配線の作業性が向上する。
【００３４】
本実施の形態では、屈曲チューブ１０の中央の蛇腹状屈曲部１２の部分において、フレキシブル性が高く、屈曲チューブ１０を容易に屈曲することができる。また、屈曲チューブ１０の両端の筒状連結部１１には、熱収縮チューブ９を容易に連結することができる。これにより、ケーブル配線の作業性が向上する。
【００３５】
また、ケーブル保護チューブ１のフレキシブル性が高いので、屈曲した配線経路にケーブル２を配線した場合であっても、ケーブル保護チューブ１が配線経路中の角部に接触して磨耗するのを抑制することができる。したがって、本実施の形態の旋回カメラ装置のように、カメラ６がベース４に対して旋回したときにカメラ６の動きに伴ってケーブル２が動く場合であっても、ケーブル保護チューブ１が配線経路中の角部に接触して磨耗するのを抑制することができる。
【００３６】
この場合、熱収縮チューブ９や屈曲チューブ１０は、シリコン樹脂製の保護チューブに比べて安価であるため、ケーブル保護チューブ１や旋回カメラ装置の低コスト化を図ることができる。
【００３７】
また、本実施の形態では、筒状連結部１１の外径Ｄ１は、熱収縮前の熱収縮チューブ９の端部の内径ｄより小さい。したがって、熱収縮チューブ９の端部と屈曲チューブ１０の端部を重複させるときに、屈曲チューブ１０の筒状連結部１１を熱収縮チューブ９の端部に容易に挿入することができる。また、蛇腹状屈曲部１２の外径Ｄ２は、熱収縮前の熱収縮チューブ９の端部の内径ｄより大きい。したがって、屈曲チューブ１０の筒状連結部１１を熱収縮チューブ９の端部に挿入したときに、屈曲チューブ１０の蛇腹状屈曲部１２が熱収縮チューブ９の端部に当接し、屈曲チューブ１０が熱収縮チューブ９の内部に過度に入り込むのを防止することができる。これにより、熱収縮チューブ９と屈曲チューブ１０を容易に連結することができ、ケーブル配線の作業性が向上する。
【００３８】
以上、本発明の実施の形態を例示により説明したが、本発明の範囲はこれらに限定されるものではなく、請求項に記載された範囲内において目的に応じて変更・変形することが可能である。
【産業上の利用可能性】
【００３９】
以上のように、本発明にかかるケーブル保護チューブは、低コスト化を図ることができるとともに、フレキシブル性が高くケーブル配線の作業性が向上するという効果を有し、例えば監視用の旋回カメラ装置等に用いられて有用である。
【図面の簡単な説明】
【００４０】
【図１】本発明の実施の形態におけるケーブル保護チューブの配線経路の概略図
【図２】本発明の実施の形態における旋回カメラ装置の概略構成を示す説明図
【図３】本発明の実施の形態における熱収縮チューブと屈曲チューブの斜視図
【図４】本発明の実施の形態におけるケーブル保護チューブ（熱収縮による連結前）の断面図
【図５】本発明の実施の形態におけるケーブル保護チューブ（熱収縮による連結後）の断面図
【符号の説明】
【００４１】
１  ケーブル保護チューブ
２  ケーブル
３  旋回カメラ装置
４  ベース
６  カメラ
７  制御ユニット
９  熱収縮チューブ
１０  屈曲チューブ
１１  筒状連結部
１２  蛇腹状屈曲部
ｄ  熱収縮チューブの内径
Ｄ１  筒状連結部の外径
Ｄ２  蛇腹状屈曲部の外径
【図１】
2007317427.tif 000003
【図２】
2007317427.tif 000004
【図３】
2007317427.tif 000005
【図４】
2007317427.tif 000006
【図５】
2007317427.tif 000007